(57)【要約】【課題】リサイクル社会の次の目標としての資源の蓄積に対して考慮された無箱の詰替用ティッシュペーパーケースの使用が常識的となるように、又、ティッシュペーパーケースが木枕としての機能も果たすようにように形態に工夫を凝らす。【解決手段】枕の形状を考慮した結果、木箱の底部は丸みを帯びた楕円型とし、高さを５センチメートル程度にし、ティッシュペーパの補充が楽になるように扉を設け、閉まりをよくし、異物が入らないように中のティッシュペーパーが清潔感を保てる形状とする。【選択図】図６
0003125987.tif 000002
【実用新案登録請求の範囲】
【請求項１】
本考案は詰替用ティッシュペーパーケースを木枕としても使用できることを特徴とする木枕になる詰替用ティッシュペーパーケース。
【請求項２】
ティッシュペーパー補充の際、内部にはティッシュペーパーの保護を目的として設けられた抗菌加工されたプラスチック等で作られているシート状の引き出が備え付けてあることを特徴とする請求項１に記載の木枕になる詰替用ティッシュペーパーケース。
【請求項３】
ティッシュペーパー挿入口として設けた扉の外周部にゴムパッキングを施したことを特徴とする請求項１から請求項２のいずれかに記載の木枕になる詰替用ティッシュペーパーケース。
【請求項４】
扉に磁石を装着していることを特徴としている請求項１から請求項３のいずれかに記載の木枕になる詰替用ティッシュペーパーケース。
【請求項５】
ペーパーの取り出し口に、重なった状態の二重の布を装着していることを特徴とする請求項１から請求項４のいずれかに記載の木枕になる詰替用ティッシュペーパーケース。
【請求項６】
箱の底部が木製で構成されていることを特徴とする請求項１から請求項５のいずれかに記載の木枕になる詰替用ティッシュペーパーケース。
【考案の詳細な説明】
【技術分野】
【０００１】
本考案は、２種類の木箱型ティッシュペーパーケースの利用方法を提供するものであり、１つ目は詰替用ティッシュペーパー入れであり、２つ目の使い方は、木枕として使用できることを特徴とする木枕になる詰替用ティッシュペーパーケースに関するものである。
【背景技術】
【０００２】
現在、紙箱に納められたティッシュペーパーの販売が支流となっており、ティッシュペーパーが使い終わると同時に箱はその役割をはたし、リサイクルとして捨てられている。又、ティッシュ製品として特開２０００−３３９７８が開示されている。
【０００３】
しかし、開示されている前者の考案したものは、詰め替え用ティッシュペーパーケース１の機能しか果たしておらず、本考案の木枕になる詰替用ティッシュペーパーケースとは異なる。
【０００４】
更に加えて、ティッシュペーパー収納部を設けたことを特徴とする「枕カバー」登録番号：登録実用新案第３０７１９７２が開示されているが、本考案は木枕であり形態が異なる。
【０００５】
ティッシュペーパーケースは身近な存在として定着しているが、利用目的が限られており、ティッシュペーパーの使用以外はただ放置されている。
【０００６】
資源を大切にするという観点から見解すると、無箱の詰替用ティッシュペーパの存在はこれからの社会において重要である。
【特許文献１】特開２０００−３３９７８広報
【特許文献２】登録実用新案第３０７１９７２広報
【考案の開示】
【考案が解決しようとする課題】
【０００７】
ティッシュペーパーケースは、無箱の詰替用ティッシュペーパー専用のものとなるように形状に工夫を凝らす。
【０００８】
詰替用ティッシュペーパーの形成が箱の中で崩れることなく、容易にティッシュケースにペーパーを補充できるようにする。
【０００９】
今後、詰替用ティッシュペーパーケースの使用が常識的となることができるように、多くの人に長く愛用されやすい木枕としての利用も可能にする形態とする。
【００１０】
ティッシュペーパーケースの中に開口部から異物が入らないように対処する。
【課題を解決するための手段】
【００１１】
本考案は、前記段落番号０００９に記載の解決手段を優先し、枕の形状を考慮した結果、木箱の底部は丸みを帯びた楕円型とし、高さを５センチメートル程度にした。
【００１２】
前記段落番号００１１で記載されている用に箱の形態を楕円型とすると、箱の内側がカーブを帯びた形状となり、箱付きのティッシュペーパーは、本考案の木枕になる詰替用ティッシュペーパーケースの中に挿入できないようにする。
【００１３】
本考案は、前記の段落番号０００８を解決するための手段として、ティッシュペーパーケースの側面部分に詰替用ティッシュペーパー補充用の専用挿入口として扉を設けた。
【００１４】
前記の段落番号００１３の特徴として、扉の正面にひも状の取ってを付け、ティッシュケースと扉の接合部には磁石を設け、又、扉の外周にゴムパッキングを施す事により、扉の閉まりをよくする。
【００１５】
前記段落番号０００８の解決手段として、前記段落番号の００１３により記載されている扉を開くと、内部にはティッシュペーパーのペーパーの保護を目的として作られた抗菌加工されたプラスチック等で作られているシート状の引き出が備え付けてあり、引き出しの中央部に設けた指穴を利用する事により、引き出しが取り出せ、詰替用ティッシュペーパーを補充する。
【００１６】
ティッシュペーパーケースの上部に設けたペーパーの取り出し口に、重なった状態の二重の布を装着し、できるだけペーパーの取り出し口から異物が入らないようにする。
【考案の効果】
【００１７】
詰替用ティッシュペーパーケースだけではなく、木枕としての機能も果たしているので、多くの人に長く愛用される可能性が高い。
【００１８】
前記段落番号００１５に記載されている引き出しの使用により、詰替用ティッシュペーパーが、形成の整えた状態で容易に補充可能となる。
【００１９】
ひも状の取ってを使用することで扉が簡単に開閉でき、また扉の外周にゴムパッキングを施されていることにより、扉を閉めたとき本体と扉との隙間が無くなり、外部からの異物がケース内に侵入できないので衛生面に対して清潔さを保つことが出来る。
【００２０】
前記段落番号００１６に記載の二重構造の布を使用することにより、ケース本体を裏返し枕としてしようする場合でも、異物の侵入を押さえることができ、更に、ティッシュペーパー取り出す際、箱に挿入した指がケースに直接こすれて痛めることも免れる。
【００２１】
木枕の高さを５センチメートル程度としたために、枕として使用するときに首への負担が軽減されている。
【００２２】
本考案を考えた最大の目的は、リサイクル社会の次の目標として、本考案の木枕になる詰替用ティッシュペーパーケース使用により、ティッシュペーパーの紙箱が不要になり、資源が蓄積されていくと同時に、蓄積された資源で次世代に必要な新たな新商品が生まれる可能性がある。
【考案を実施するための最良の形態】
【００２３】
本考案の木枕になるティッシュケースの重要な特徴として２種類の利用方法があり、１つ目は図１から図４までの詰替用ティッシュペーパーケースとしての利用方法、２つ目はティッシュケースを裏返しにして木枕とできることを表した図５から図６である。
【図面の簡単な説明】
【００２４】
【図１】本考案の正面図。
【図２】本考案の長手方向を示す側面図。
【図３】本考案の扉部分と扉の相対部分の側面図。
【図４】本考案のティッシュペーパーの補充方法を示した説明図。
【図５】本考案を裏返しにした形状を表した図。
【図６】本考案を木枕として使用している示し図。
【符号の説明】
【００２５】
１  本考案の木枕になる詰替用ティッシュペーパーケース本体。
２  二重構造の布
３  ひも状になった扉の取って。
４  扉。
５  詰替用ティッシュペーパー。
６  扉に装着された磁器
７  扉に施されたパッキング。
８  抗菌加工されたシート状ペーパー置き引き出し。
９  引き出し取り出し穴。
１０  本考案の木枕になるティッシュケース本体を裏返しにした状態。
１１  枕として活用されている木枕になる詰替用ティッシュペーパーケース。
【図１】
0003125987.tif 000003
【図２】
0003125987.tif 000004
【図３】
0003125987.tif 000005
【図４】
0003125987.tif 000006
【図５】
0003125987.tif 000007
【図６】
0003125987.tif 000008
【手続補正書】
【提出日】平成18年8月1日(2006.8.1)
【手続補正１】
【補正対象書類名】実用新案登録請求の範囲
【補正対象項目名】全文
【補正方法】変更
【補正の内容】
【実用新案登録請求の範囲】
【請求項１】
本考案は詰替用ティッシュペパーケース本体のティッシュペーパー取出し口上部を裏返しにすることにより、木枕になることを構成されていることを特徴とした木枕になる詰替用ティッシュペーパーケース。